(57)【要約】【課題】スクリューキャップにより閉じられているボトル、特にワインボトルを開けるためのボトルオープナーを提供する。【解決手段】ボトルオープナーは、スクリューキャップに当接する内側面(2)を有する環状の当接要素(1)を備えている。内側面(2)はスクリューキャップを受け入れるためのキャビティ(3)の範囲を定める。内側面(2)は当接要素(1)の２つの好ましくは環状の端部(4)(4’)により範囲が定められている。内側面(2)により範囲が定められているキャビティ(3)の直径(5)は、一方の端部(4)から始まり、他方の端部(4’)に向かう方向にある範囲において、少なくとも局所的に縮径している。反時計回りのめねじ(6)が内側面(2)に形成されている。【選択図】  図１
2012521332.tif 000002
【特許請求の範囲】
【請求項１】
スクリューキャップにより閉じられているワインボトルを含むボトルを開けるためのボトルオープナーであって、
前記スクリューキャップに当接する内側面(2)を有する環状の当接要素(1)を備え、前記内側面(2)は前記スクリューキャップを受け入れるためのキャビティ(3)の範囲を定め、前記内側面(2)は前記当接要素(1)の２つの好ましくは環状の端部(4)(4’)により範囲が定められ、前記内側面(2)により範囲が定められている前記キャビティ(3)の直径(5)は、前記２つの端部のうち一方の端部(4)から始まり、他方の端部(4’)に向かう方向にのびる範囲において、少なくとも局所的に縮径し、反時計回りのめねじ(6)が前記内側面(2)に形成されていることを特徴とするボトルオープナー。
【請求項２】
請求項１記載のボトルオープナーにおいて、
前記内側面(2)の前記めねじ(6)のねじ山(7)が回転対称性を有する表面上にあり、付加的又は代替的に前記内側面(2)の前記めねじ(6)のねじ溝(8)が回転対称性を有する表面上にあることを特徴とするボトルオープナー。
【請求項３】
請求項１又は２記載のボトルオープナーにおいて、
前記内側面(2)の前記めねじ(6)のねじ山(7)が円錐台状の表面上にあり、付加的又は代替的に前記内側面(2)の前記めねじ(6)のねじ溝(8)が円錐台状の表面上にあることを特徴とするボトルオープナー。
【請求項４】
請求項１〜３のうちいずれか１つに記載のボトルオープナーにおいて、
前記めねじ(6)が０．１〜０．４［ｍｍ／回転］又は０．２〜０．２７［ｍｍ／回転］の範囲のピッチ(9)を有することを特徴とするボトルオープナー。
【請求項５】
請求項１〜４のうちいずれか１つに記載のボトルオープナーにおいて、
前記めねじ(6)が０．０１〜０．５［ｍｍ］又は０．１５〜０．２５［ｍｍ］の範囲の溝深さ(10)を有することを特徴とするボトルオープナー。
【請求項６】
請求項１〜５のうちいずれか１つに記載のボトルオープナーにおいて、
前記めねじ(6)は鋭角をなす横断面を有することを特徴とするボトルオープナー。
【請求項７】
請求項１〜６のうちいずれか１つに記載のボトルオープナーにおいて、
前記めねじ(6)は丸みを帯びた横断面を有する前記ねじ溝(8)を有することを特徴とするボトルオープナー。
【請求項８】
請求項１〜７のうちいずれか１つに記載のボトルオープナーにおいて、
前記内側面(2)により範囲が定められている前記キャビティ(3)の直径(5)は、それぞれの端部(4)(4’)から始まり、他方の端部(4’)(4)に向かう方向(11)(11’)にのびる範囲において少なくとも局所的に縮径していることを特徴とするボトルオープナー。
【請求項９】
請求項８記載のボトルオープナーにおいて、
前記内側面(2)により範囲が定められているキャビティ(3)の最小径(12)は前記２つの端部(4)(4’)の中間に存在することを特徴とするボトルオープナー。
【請求項１０】
請求項１〜９のうちいずれか１つに記載のボトルオープナーにおいて、
前記内側面(2)により範囲が定められているキャビティ(3)の前記２つの端部(4)(4’)のうち一方又は両方における直径(5)が３０〜３０．５［ｍｍ］の範囲にあることを特徴とするボトルオープナー。
【請求項１１】
請求項１〜１０のうちいずれか１つに記載のボトルオープナーにおいて、
前記内側面(2)により範囲が定められているキャビティ(3)の最小径が２８〜２９［ｍｍ］の範囲にあることを特徴とするボトルオープナー。
【請求項１２】
請求項１〜１１のうちいずれか１つに記載のボトルオープナーにおいて、
前記２つの端部(4)(4’)のうち一方が存在する平面(14)に対して垂直な方向(13)について前記当接要素(1)の縦断面において、前記めねじ(6)のねじ山(7)を通る直線(15)の、前記平面(14)に対して垂直な方向(13)に対する角度が１°〜１０°又は３°〜７°の範囲にあることを特徴とするボトルオープナー。
【請求項１３】
請求項１〜１２のうちいずれか１つに記載のボトルオープナーにおいて、
前記当接要素(1)の縦中心軸線(17)に沿っている前記当接要素(1)の縦断面において、前記めねじ(6)のねじ山(7)を通る直線(15)の、前記平面(14)に対して垂直な方向(13)に対する角度が１°〜１０°又は３°〜７°の範囲にあることを特徴とするボトルオープナー。
【請求項１４】
請求項１〜１３のうちいずれか１つに記載のボトルオープナーにおいて、
前記内側面(2)に一又は複数の切欠部(18)が設けられ、前記切欠部(18)の前記めねじ(6)のねじ山(7)に対する角度が８０°〜１００°又は８７°〜９３°の範囲にあることを特徴とするボトルオープナー。
【請求項１５】
請求項１〜１４のうちいずれか１つに記載のボトルオープナーにおいて、
前記当接要素(1)が円板形状の把持部(20)に取り付けられていることを特徴とするボトルオープナー。
【発明の詳細な説明】
【技術分野】
【０００１】
本発明は、スクリューキャップにより閉じられているボトル、特にワインボトルを開けるためのボトルオープナーに関する。
【背景技術】
【０００２】
近年、市場において多くのワインボトルが伝統的なコルクではなくスクリューキャップにより閉じられている。これは一方では衛生的に、他方では信頼性があって永続的かつ気密にワインボトルを閉じることを実現している。これらの点は、従来のコルクでは保証されなかったことである。
【発明の概要】
【発明が解決しようとする課題】
【０００３】
特に料理の世界では、スクリューキャップにより閉じられているワインボトル等のボトルをエレガント、確実かつ小さな力で開けることができるボトルオープナーが必要とされている。
【課題を解決するための手段】
【０００４】
本発明の目的は、前記スクリューキャップに当接する内側面を有する環状の当接要素を備え、前記内側面は前記スクリューキャップを受け入れるためのキャビティの範囲を定め、前記内側面は前記当接要素の２つの好ましくは環状の端部により範囲が定められ、前記内側面により範囲が定められている前記キャビティの直径は、前記２つの端部のうち一方の端部から始まり、他方の端部に向かう方向にのびる範囲において、少なくとも局所的に縮径し、反時計回りのめねじが前記内側面に形成されていることを特徴とするボトルオープナーにより達成される。
【０００５】
本発明により構成されている当接要素によれば、スクリューキャップをボトル、特にワインボトルから確実かつ小さな力で取り外すことができる。これにより、ボトルを開けることを何度も試みたり失敗したりすることを心配することなく、ボトルオープナーをスクリューキャップに対してさまざまな角度で取り付けることができる。本発明のボトルオープナーはスクリューキャップに対して特殊な方式で取り付けられる必要はない。
【０００６】
一方向に縮径している内側面の直径又は当該内側面により範囲が定められているキャビティと、内側面に形成されている反時計回りのめねじという構成の組み合わせにより、著しく簡単な操作で確実にボトルを開けることができる。
【０００７】
ボトルオープナーがスクリューキャップに取り付けられている状態で、ボトルオープナーをスクリューキャップの通常の開栓方向に回転させると、ボトルオープナーのめねじがスクリューキャップに食い込む。これにより、比較的少ない回転角度でボトルオープナーとスクリューキャップとを堅固に係合させることができる。ボトルオープナーが同じ方向にさらに回転されることにより、スクリューキャップがボトルから取り外される。
【０００８】
スクリューキャップに対するボトルオープナーの固定は、スクリューキャップの取り外しと同様に、ボトルオープナーを回転させることにより実現され、これによってボトルの確実かつ迅速な開栓が可能となる。このようなボトルオープナーは特に料理の世界においてワインボトルの開栓に重用され、当然にスクリューキャップにより閉じられている他のボトルも簡単かつ迅速に開栓されうる。
【０００９】
本発明のボトルオープナーにおいて、内側面のめねじのねじ山が回転対称性を有する表面上にあり、代替的又は付加的に内側面のめねじのねじ溝が回転対称性を有する表面上にあることが好ましい。
【００１０】
特に、内側面のめねじのねじ山が円錐台状の表面上にあり、代替的又は付加的に内側面のめねじのねじ溝が円錐台状の表面上にあることが好ましい。
【００１１】
多大なコストを要する一連の試験により、前記めねじが０．１〜０．４［ｍｍ／回転］、好ましくは０．２〜０．２７［ｍｍ／回転］の範囲のピッチ、いわゆる進行間隔を有することが好ましいことが判明した。
【００１２】
前記めねじが０．０１〜０．５［ｍｍ］、好ましくは０．１５〜０．２５［ｍｍ］の範囲の溝深さを有することが好ましい。
【００１３】
試験により、前記範囲から外れている場合、ボトルオープナーとスクリューキャップとを確実に結合させることができず、或いは、スクリューキャップを取り外すためにめねじによるスクリューキャップを確実に変形させることができないことが確認された。
【００１４】
めねじをスクリューキャップに確実に食い込ませるためには、前記めねじは鋭角をなす横断面を有することが好ましい。前記ねじ溝は丸みを帯びた横断面を有していてもよい。
【００１５】
環状の当接要素は、少なくとも内側面及びめねじの箇所において部分的に、好ましくは全体的に金属から構成されている。特に、当接要素の製造に鋼鉄又は高品質の鋼鉄が使用されることが好ましい。
【００１６】
当接要素又はボトルオープナーにより、対象となるスクリューキャップへの取り付けがケアレスミスにより失敗に帰すことがないように、本発明の前記実施形態において、前記内側面により範囲が定められている前記キャビティの直径は、それぞれの端部から始まり、他方の端部に向かう方向にのびる範囲において少なくとも局所的に縮径していることが好ましい。
【００１７】
少なくとも内側面又はキャビティの直径の変化態様が、実質的に対称であって中間平面を構成するような他の態様が可能である。当該他の態様として、前記内側面により範囲が定められているキャビティの最小径は前記２つの端部の中間に存在することが好ましい。
【００１８】
特にワインボトルに用いられているスクリューキャップに対して、前記内側面(2)により範囲が定められているキャビティの前記２つの端部のうち一方又は両方における直径が３０〜３０．５［ｍｍ］の範囲にあることが好ましい。前記内側面により範囲が定められているキャビティの最小径が２８〜２９［ｍｍ］の範囲にあることが好ましい。
【００１９】
本発明のさらなる詳細及び特徴は以下の図面に示されている本発明の実施形態によって説明される。
【図面の簡単な説明】
【００２０】
【図１】本発明の一実施形態としてのボトルオープナーの説明図。
【図２】ボトルオープナーの環状の当接要素をその縦中心軸線の方向から見た様子の説明図。
【図３】図２のＡ部分の詳細説明図。
【図４】図１のボトルオープナーの環状の当接要素の縦断面図。
【図５】環状の当接要素の他の実施形態に関する説明図。
【図６】図４及び図５のＢ部分の詳細説明図。
【発明を実施するための形態】
【００２１】
図１は本発明の一実施形態としてのボトルオープナーの斜視図を示している。当接要素１は、高品質の鋼鉄により構成され、本実施形態では把持部２０の中央部に取り付けられている。把持部２０は少なくとも部分的に円盤状に形成され、例えば木材により構成されている。当該構成は一例にしか過ぎないことは明らかであろう。
【００２２】
把持部２０の本質的な技術的効果は、縦中心軸線１７とボトルオープナーにおいて手が触れる部分との間隔を大きくすることにより、回転モーメントを増大させることにある。この観点から、把持部２０がこれとは異なる別形状であってもよいことは自明である。把持部２０の外縁部には凹部２１が設けられている。これにより、凹部２１の領域においてボトルオープナーを置くことができる。
【００２３】
ボトルオープナーの把持部２０の中央開口部には環状の当接要素１が設けられている。当接要素１はその内側面２により、ボトル、特にワインボトルのスクリューキャップが挿入されうるキャビティ３を囲んでいる。内側面２は、図面に示されているように、当接要素１の一方の端部４から他方の端部４’に向かう範囲において狭小化されている直径５を有する。内側面２には反時計回りのめねじ６、左ネジ状のめねじ６が形成されている。溝深さ１０及びネジピッチ９はかなり小さいものの、めねじ６の詳細を視認すること画可能である。
【００２４】
図１に示されている本実施形態において、内側面２に切欠部１８が設けられていてもよい。切欠部１８は好ましくは縦中心軸線１７に対して実質的に平行に延在し、図４に示されているように、めねじ６のねじ山７又はねじ溝８に対する角度１９は、８０°〜１００°の範囲、好ましくは８７°〜９３°の範囲にある。内側面２において切欠部１８により形成されているエッジは、スクリューキャップに対してめねじ６を食い込ませることができる。前期のように、切欠部１８は省略されてもよい。
【００２５】
図２は縦中心軸線１７の方向について環状の当接要素１を見た様子を示している。切欠部１８の存在がよくわかる。本実施形態では、切欠部１８は正六角形をなすように配置されている。切欠部１８の配置関係はこれに限定されないのは明らかである。幅２２は２５．８２［ｍｍ］である。図３は図２のＡ部分を詳細に示している。切欠部１８の開き角度２３は、図２に示されている切欠部１８と同様に１２０°である。これが一例にしか過ぎないのは当然である。
【００２６】
図４は第１実施形態の当接要素１の縦断面図を示している。この縦断面図は、一方で当接要素１の縦中心軸線１７に対して沿っている又は平行である。この縦断面図は、他方で当接要素１の端部４及び４’が存在する平面１４の垂線方向１３に対しても平行である又は沿っている。
【００２７】
図４において、キャビティ３の直径５が、一方の端部４から始まり、他方の端部４’に向かう方向１１にのびる第１範囲において縮径している。第１範囲は、縦中心軸線１７に沿って両端部４及び４’の中間にある最小径１２の箇所で終わっている。
【００２８】
反対側においても、キャビティ３の直径５が、他方の端部４’から始まり、反対方向、すなわち一方の端部４に向かう方向にのびる第２範囲において同様に縮径している。他方の端部４’から始まる第２範囲も同様に中央にある最小径１２の箇所で終わっている。
【００２９】
本実施形態で最小径１２は２８．５［ｍｍ］であり、端部における直径５は３０．３［ｍｍ］である。当接要素１の外径２４は３３［ｍｍ］である。縦中心軸線１７又は法線方向１３に対して平行な方向について全体幅２７は２０［ｍｍ］である。直径の最大偏差２６は約０．６［ｍｍ］である。縦中心軸線１７又は法線方向１３に対して平行な方向について切欠部１８の幅２８は１３．３３［ｍｍ］である。
【００３０】
本実施形態では図６に示されているめねじ６のねじ山７を通る直線１５と、縦中心軸線１７又は法線方向１３とがなす角度１６は５．１４°である。当該角度１６は１°〜１０°、好ましくは３°〜７°の範囲にあればよい。内側面２に設けられている又は形成されているめねじ６の構成は図４からはわからないが、Ｂ部分が、図６において拡大されて示されている。
【００３１】
図６において、内側面２において縦中心軸線１７を取り囲むめねじ１６が尺度５０：１で示されている。ここでは簡単のため、実際よりも少ないねじピッチ９及び溝深さ１０について説明される。
【００３２】
本実施形態では、ねじピッチ９又は進行間隔は０．２４［ｍｍ／回転］である。周知のように、ピッチ９は隣接する２つのねじ山７の間隔から求められる。直線１５に対して垂直な方向についてねじ山７及び隣接するねじ溝８を定義する溝深さ１０は約０．２［ｍｍ］である。ねじピッチ９及び溝深さ１０は、さまざまに変更されてもよい。
【００３３】
図６において、ねじ山７は横断面図において鋭角に形成されている一方、ねじ溝８は丸みを帯びた形状（円弧状）に形成されてもよい。鋭角のねじ山により、めねじ６をボトルから取り外されるスクリューキャップに対して食い込ませることができる。ねじ溝８及びねじ山７が当該実施形態とは異なる形状であってもよいことは当然である。めねじ６は当該技術分野における通常の技術であるフライス加工により内側面２に形成される。
【００３４】
図４に示されている環状の当接要素１は、次に詳細に説明するように、方向１１及び方向１１’のいずれからも、ボトルから取り外されるスクリューキャップをキャビティ３に挿入させることができる。給仕者は、バルブオープナーが正しくスクリューキャップに取り付けられていることに配慮する必要はない。
【００３５】
手で把持するという実用上の観点からは、環状の当接要素の対称性を有する構成は必須のものではない。図５には、図４の実施形態と同様に、キャビティ３の直径が一方の端部４から始まり他方の端部４’に向かう方向１１に縮径している実施形態が示されている。これにより、事後的にキャビティ３において方向１１から相当のねじ切り加工を要するが、当接要素及びボトルオープナーが平易な製法によって得られる。当該実施形態における全体幅２７はわずか１［ｃｍ］である。切欠部１８の幅は約６．６［ｍｍ］である。図４の実施形態とサイズが一致するように構成されてもよく、このことからさまざまな変形例が可能であることは自明である。
【００３６】
それぞれのめねじにおけるねじ山７は、円錐台状の表面上にあり、ねじ溝８も同様である。本実施形態では、円錐台表面の回転軸線は、縦中心軸線１７と一致している。円錐台状の表面上にある必要はなく、他の実施形態としてねじ山７又はねじ溝８は回転対称性を有する表面上にあってもよい。
【符号の説明】
【００３７】
１‥当接要素、２‥内側面、３‥キャビティ、４，４’‥端部、５‥直径、６‥めねじ、７‥ねじ山、８‥ねじ溝、９‥ねじピッチ、１０‥溝深さ、１１，１１’‥方向、１２‥最小径、１３‥方向、１４‥平面部、１５‥直線、１６‥角度、１７‥縦中心軸線、１８‥切欠部、１９‥角度、２０‥把持部、２１‥凹部、２２‥幅、２３‥開き角度、２４‥外径、２５‥面取りされた外縁部、２６‥直径の最大偏差、２７‥全体幅、２８‥幅。
【図１】
2012521332.tif 000003
【図２】
2012521332.tif 000004
【図３】
2012521332.tif 000005
【図４】
2012521332.tif 000006
【図５】
2012521332.tif 000007
【図６】
2012521332.tif 000008
【国際調査報告】
2012521332.tif 000009
2012521332.tif 000010
2012521332.tif 000011
2012521332.tif 000012
2012521332.tif 000013
2012521332.tif 000014